(57)【要約】【課題】加熱手段とは独立したカウントアップタイマーを装備したことにより、調理時間の目安をより判りやすくした誘導加熱調理器を提供する。【解決手段】トップ左操作部２及びトップ右操作部３の操作によりカウントアップタイマー６ａ，６ｂが時間の測定を開始したとき、中央制御部４は、駆動・制御回路部１５，１６を通じて行われる誘導加熱コイル２１，２２の制御とは独立してカウントアップタイマー６ａ，６ｂのカウントアップ時間を左負荷用ＬＣＤ７及び右負荷用ＬＣＤ９にそれぞれ表示する。【選択図】　　　図１
2004055167.tif 000002
【特許請求の範囲】
【請求項１】
加熱手段と、
該加熱手段の火力を設定する火力設定手段と、
該火力設定手段の操作に基づいて前記加熱手段を制御する第１の制御手段と、
時間を測定する計時手段と、
該計時手段の動作を開始するための計時開始手段と、
表示手段と、
前記計時開始手段の操作により前記計時手段が時間の測定を開始したとき、前記第１の制御手段による前記加熱手段の制御とは独立して前記計時手段の測定時間を前記表示手段に表示する第２の制御手段と
を備えたことを特徴とする加熱調理器。
【請求項２】
前記加熱手段の加熱時間を設定するための時限タイマーと、該時限タイマーの時間を設定するための時間設定手段とを有し、前記第２の制御手段は、前記計時開始手段の操作により前記計時手段が測定を開始したとき、その計時手段を前記時間設定手段の時間設定により動作する前記時限タイマーとは別に排他動作させることを特徴とする請求項１記載の加熱調理器。
【請求項３】
前記計時手段により測定された時間が所定時間経過する毎にその旨を報知する報知制御手段とを備えていることを特徴とする請求項１又は２記載の加熱調理器。
【請求項４】
前記加熱手段は加熱調理器本体に複数配置され、前記表示手段は、各加熱手段に近接又は対称位置に設けられ、各加熱手段に対応したタイマー表示機能を有することを特徴とする請求項１〜３の何れかに記載の加熱調理器。
【請求項５】
前記表示手段は、前記計時手段のカウントアップ時間及び前記時限タイマ−のカウントダウン時間を２段に亘って表示することを特徴とする請求項４記載の加熱調理器。
【請求項６】
加熱調理器本体に設けられた被加熱物載置用のトッププレートに形成された透明窓を有し、前記表示手段は、その透明窓の下側に配置されていることを特徴とする請求項１〜５の何れかに記載の加熱調理器。
【発明の詳細な説明】
【０００１】
【発明の属する技術分野】
本発明は、誘導加熱コイル、電熱ヒーター等の加熱手段を備えた加熱調理器に関するものである。
【０００２】
【従来の技術】
近年、電気コンロ型の加熱調理器は、ガスコンロに比べ安全であり、火を使わないことから燃焼による空気の汚染が少ない等の様々な利点を有しており、その需要が伸びてきている。従来、この種の加熱調理器としては例えば特開平１１−８０５１号公報に開示された加熱調理器がある。
【０００３】
図１２はその従来の加熱調理器（特開平１１−８０５１号公報）の斜視図であり、図において、１０１は加熱調理器本体、１０２ａ，１０２ｂは誘導加熱コイル、１０２ｃは電熱ヒーターである。１０４は加熱調理器本体１０１の電源を入り切りする電源スイッチ１０３や、後述の加熱制御手段に信号を与える入力スイッチ等を含む操作部である。１０５は操作部１０４の操作信号を報知する報知部、１０６は被加熱物が載置される、天面部に設けられたトッププレート、１０７はシーズヒーター（電熱ヒーター）を有するロースター魚焼き部、１１１は被加熱物である鍋である。
【０００４】
また、図１３は従来の他の加熱調理器の内部構成を示した分解斜視図であり、図において、１０８は加熱制御部、１０９ａ，１０９ｂはトッププレート１０６の下面側の複数箇所に配置された誘導加熱コイル、１１０ａ，１１０ｂは温度レベル検知部である。
【０００５】
図１２及び図１３の従来の加熱調理器においては、電源スイッチ１０３をオンし、操作部１０４の入力スイッチを操作すると、誘導加熱コイル１０２ａ，１０２ｂ（１０９ａ，１０９ｂ）を駆動するべく制御信号が加熱制御手段１０８に送られ、加熱制御手段１０８は、誘導加熱コイル１０２ａ，１０２ｂ（１０９ａ，１０９ｂ）に電力を供給し、鍋１１１を誘導加熱する。加熱制御中に時限タイマモードが選択キー（図示せず）により選択されたときは、選択されたタイマー時間のカウントが開始された後、タイムアップと同時に加熱制御が停止されるように構成されていた。
【０００６】
【発明が解決しようとする課題】
しかしながら、このような従来の加熱調理器では、ユーザが火力調整するタイミングや料理の出来具合を確認するタイミングを知る目的で時限タイマーをセットすると、ユーザとしてはタイムアップとなっても加熱制御をそのまま継続させたいのにもかかわらず、タイムアップと同時に加熱制御が停止されていた。そのため、このような目的でタイマーがセットされた場合には、もう一度、加熱開始操作をしなおさなければならず不便であった。
【０００７】
また、料理によっては、加熱制御停止によって被調理物の温度が急激に低下するとその出来具合に影響を受けるものもある。このような場合には、ユーザはタイムアップと同時に加熱停止されると困るため、結局、被調理物の調理状態に逐一注意を払わなければならなかった。そのため、加熱制御を継続させながら火加減等を確認するタイミングを知りたい場合には、加熱調理器とは別にキッチンタイマーを購入しこれを利用するほかなかった。
【０００８】
また、従来の加熱調理器の報知部は、調理器正面の特定部分にまとめて配置されたキー入力操作部の近傍に、液晶表示部やＬＥＤ表示部を備えている。表示を見ながらキー入力を行い、各種設定を行うことのみを考慮すれば、その配置でも問題はないが、複数の加熱コイルは加熱調理器本体の天面部に配置され、実際の加熱調理中は被加熱物である鍋、あるいはその中にある調理物に注目しながら調理を行うことがほとんどである。さらに、一度に左、右、中央に鍋を置いて調理出来るために、それぞれの調理に対してタイマー設定をした場合等、タイマー表示と対象調理物との関係が分かりづらかった。
【０００９】
また、従来の加熱調理器のキッチンタイマーとしては、タイマー時間及び残り時間をＬＥＤで表示するガステーブルコンロがあった。この種の加熱調理器としては例えば特開２０００−７４３７９号公報に開示されている。
【００１０】
上記のキッチンタイマーは、複数あるタイマー時間のうち、所望のタイマー時間が選択されたとき、そのタイマー時間までの計時を行ない、タイムアップを報知するように構成されていた。このような構成では、例えば所望したタイマーの時間を３分として操作した場合、実際の調理で３分を目安に調理を開始したにもかかわらず、火力の大小等で、出来上がりが３分以上かかってしまうこともあった。その場合、３分のキッチンタイマーは既にタイムアップしているため、その後の調理を感覚で行なうか、再度、タイマーで追加設定をしなければならないという使いにくさがあった。
【００１１】
本発明の目的は、加熱制御とは独立したカウントアップするキッチンタイマーとしての機能を設けることにより、調理時の補助機能として使いやすいタイマーを設けた加熱調理器を提供することにある。
【００１２】
本発明の他の目的は、加熱手段を設定時間で停止させるＯＦＦタイマーと、加熱手段とは独立してカウントアップするタイマーの両方を兼ね備えた構成にすることで、目的に応じて使用するタイマーを選択することが出来、様々な調理メニューに対応可能とした加熱調理器を提供することにある。
【００１３】
本発明の他の目的は、調理中の状態をより分かり易く確実に使用者に知らせることを可能にした加熱調理器を提供することにある。
【００１４】
【課題を解決するための手段】
本発明の請求項１に係わる加熱調理器は、加熱手段と、加熱手段の火力を設定する火力設定手段と、火力設定手段の操作に基づいて加熱手段を制御する第１の制御手段と、時間を測定する計時手段と、計時手段の動作を開始するための計時開始手段と、表示手段と、計時開始手段の操作により計時手段が時間の測定を開始したとき、前記の制御手段による加熱手段の制御とは独立して計時手段の測定時間を表示手段に表示する第２の制御手段とを備えたものである。
【００１５】
本発明の請求項２に係る加熱調理器は、加熱手段の加熱時間を設定するための時限タイマーと、時限タイマーの時間を設定するための時間設定手段とを有し、第２の制御手段は、計時開始手段の操作により計時手段が測定を開始したとき、その計時手段を時間設定手段の時間設定により動作する時限タイマーとは別に排他動作させるものである。
【００１６】
本発明の請求項３に係る加熱調理器は、計時手段により測定された時間が所定時間経過する毎にその旨を報知する報知制御手段とを備えたものである。
【００１７】
本発明の請求項４に係る加熱調理器は、加熱手段は加熱調理器本体に複数配置され、表示手段は、各加熱手段に近接又は対称位置に設けられ、各加熱手段に対応したタイマー表示機能を有するものである。
【００１８】
本発明の請求項５に係る加熱調理器は、表示手段は、前記計時手段のカウントアップ時間及び前記時限タイマ−のカウントダウン時間を２段に亘って表示するものである。
【００１９】
本発明の請求項６に係る加熱調理器は、加熱調理器本体に設けられた被加熱物載置用のトッププレートに形成された透明窓を有し、前記表示手段は、その透明窓の下側に配置されたものである。
【００２０】
【発明の実施の形態】
実施の形態１．
図１は本発明の実施の形態１に係る加熱調理器の概略構成を示すブロック図である。図において、１は後述する加熱調理器本体の正面に設置され、電源スイッチ、調理時間設定キー、各種の入力スイッチ等が設けられた正面操作部、２はトップ左操作部、３はトップ右操作部であり、これらトップ左操作部２とトップ右操作部３は、後述するトッププレートに配置され、それぞれワンタッチ火力キー、カウントアップタイマーキー等が設けられている。
【００２１】
４は報知制御部５、カウントアップタイマー６ａ，６ｂ及び時限タイマー１４を有する中央制御部で、例えばマイクロコンピュータ等から構成され、前記の正面操作部１、トップ左操作部２、トップ右操作部３からの操作信号に応じて負荷の火力や、調理温度等を設定するための各種の演算処理を行い、この処理結果に基づく制御信号を生成する。また、後で詳述するが、前記のカウントアップタイマーキーのオンを検知したときは、そのキーに応じてカウントアップタイマー６ａ，６ｂを起動し、そのタイマー６ａ，６ｂによるカウントアップ時間が所定時間経過する毎に報知制御部５を通じて報知部の例えばブザー１３を鳴らす。さらに、調理時間設定キーの操作に基づく調理時間を検知したときは、時限タイマー１４を起動してその調理時間のカウントダウンを開始し、そのカウントダウン時間がゼロになったときはブザー１３を鳴らすようになっている。
【００２２】
７，８，９は例えば液晶表示器（ＬＣＤ）からなり、前記のトッププレートにそれぞれ配置された左負荷用ＬＣＤ、中央負荷用ＬＣＤ、右負荷用ＬＣＤで、その内、例えば左負荷用ＬＣＤ７と右負荷用ＬＣＤ９はカウントアップタイマー６ａ，６ｂのカウントアップ時間や、時限タイマー１４によるカウントダウン時間、調理温度を表示し、中央負荷用ＬＣＤ８は時限タイマー１４によるカウントダウン時間や、後述するロースター魚焼きの調理残時間を表示する。１０，１１，１２は前記と同じトッププレートにそれぞれ配置された左報知部、中央報知部、右報知部で、例えば複数のＬＥＤからなり、負荷の火力及び通電に応じてＬＥＤが点灯する。
【００２３】
１５，１６は誘導加熱コイル２１，２２の駆動・制御回路部で、加熱制御部１７，１８及びインバータ回部１９，２０をそれぞれ備えている。加熱制御部１７，１８は、例えばマイクロコンピュータ等から構成され、中央制御部４からの制御信号に基づいてインバータ回部１９，２０を駆動する駆動信号を生成する。インバータ回部１９．２０は、被加熱物の温度を検出するための感温素子１９ａ，２０ａ、インバータを構成するためのスイッチング素子１９ｂ，２０ｂを備えてなり、加熱制御部１７，１８からの駆動信号に基づいて高周波電流を生成し、誘導加熱コイル２１，２２に供給して被加熱物を誘導加熱する。２３は冷却装置で、中央制御部４により制御され、冷却ファン２３ａを回転して冷却風を生成する。
【００２４】
２４は電熱ヒーター２８，２９の駆動・制御回路部で、加熱制御部２５、ＢＣＲ（スイッチ）２６及び切換回路２７を備えている。加熱制御部２５は例えばマイクロコンピュータ等から構成され、中央制御部４を介して入力される操作信号から各種の演算処理を行って制御信号を生成する。ＢＣＲ（スイッチ）２６は駆動対象となっている電熱ヒーター２８，２９の何れか一方の駆動電流を加熱制御部２５からの制御信号に基づいて調整する。切換回路２７は電熱ヒーター２８，２９を択一的に駆動するためのもので、加熱制御部２５からの制御信号に基づいて切り替わるようになっている。前述した電熱ヒーター２８は例えばラジェントヒーターからなり、電熱ヒーター２９はロースターに用いられる例えばシーズンヒーターから構成されている。
【００２５】
図２は実施の形態１に係る加熱調理器の外観を示す斜視図である。図において、３０は加熱調理器本体で、図１で説明した各部が備えられている。３１はトッププレートで、このトッププレート３１の下部には誘導加熱コイル２１，２２及び電熱ヒーター２８がそれぞれ配置されている。３２はトッププレート３１の周辺に形成されているフレーム（金属）、３３はトッププレート３１の後方に形成された吸気口、３４は２箇所に設けられた排気口で、一方はトッププレート３１の後方に形成されたロースター魚焼き用で、もう一方はトッププレート３１の手前側の下部にスリット状に形成されている。３５はロースター魚焼き部で、本体３０の正面に引き出し自在に設けられ、このロースター魚焼き部３５には図１で示した電熱ヒーター２９が取り付けられている。３６は本体３０に着脱自在に取り付けられたガード（フィルタ）である。なお、前述した正面操作部１は図中に示すようにロースター魚焼き部３５に隣接して配置されている。
【００２６】
図３は加熱調理器の正面操作部の詳細を示す正面図である。図において、４０は電源スイッチ、４１は誘導加熱コイル２１の火力を設定するためのエンコーダー、４２はもう一方の誘導加熱コイル２２の火力を設定するためのエンコーダーであり、４３は電熱ヒーター２８の火力を設定するためのエンコーダーである。また、この正面操作部１には、魚調理時に選択する各種の魚調理キー４４、魚焼き用の電熱ヒーター２９の火力設定キー４５、電熱ヒーター２８による調理時間を設定するための調理時間設定キー４６及びその時間設定を有効にするためのタイマーキー４７が配置されている。なお、図中に示すＩＨは誘導加熱を意味し、ＲＨはラジェントヒーターを意味している。
【００２７】
図４は加熱調理器のトッププレートの詳細を示す平面図であり、この図中のトッププレート３１には、前述したようにトップ左操作部２及びトップ右操作部３と、左負荷用ＬＣＤ７、中央負荷用ＬＣＤ８及び右負荷用ＬＣＤ９と、左報知部１０、中央報知部１１及び右報知部１２とがそれぞれ配置されている。その内、トップ左操作部２、左負荷用ＬＣＤ７及び左報知部１０が誘導加熱コイル２１の近傍に配置され、トップ右操作部３、右負荷用ＬＣＤ９及び右報知部１２が誘導加熱コイル２２の近傍に配置され、また、中央負荷用ＬＣＤ８が電熱ヒーター２８の対称位置に配置され、中央報知部１１がその電熱ヒーター２８の近傍に配置されている。また、左負荷用ＬＣＤ７及び左報知部１０と、右負荷用ＬＣＤ９及び右報知部１２と、中央負荷用ＬＣＤ８及び中央報知部１１は、トッププレート３１の下部に設けられている。この部分のトッププレート３１は、表示状態が外から見えるように、例えば硝子部材からなる透明窓が形成されている。
【００２８】
トップ左操作部２には、誘導加熱コイル２１の火力を簡易的に設定するワンタッチ火力キー２ａ，２ｂ，２ｃと、キッチンタイマーを表示させるためのカウントアップタイマーキー２ｄと、天ぷら調理キー２ｅとが設けられ、トップ右操作部３には、誘導加熱コイル２２の火力を簡易的に設定するワンタッチ火力キー３ａ，３ｂ，３ｃと、キッチンタイマーを表示させるためのカウントアップタイマーキー３ｄと、天ぷら調理キー３ｅとが設けられている。
【００２９】
ワンタッチ火力キー２ａ，３ａは２５００Ｗの火力設定用のキーであり、ワンタッチ火力キー２ｂ，３ｂは７５０Ｗ用、ワンタッチ火力キー２ｃ，３ｃは３００Ｗの火力設定用のキーである。また、天ぷら調理キー２ｅ，３ｅは、ＩＨ温度制御調理モードを設定するためのキーである。つまり、このキー２ｅ，３ｅがオンされたときは、その設定温度を左負荷用ＬＣＤ７と右負荷用ＬＣＤ９に表示する。
【００３０】
前記の左負荷用ＬＣＤ７、中央負荷用ＬＣＤ８及び右負荷用ＬＣＤ９は、例えば９時間５９分まで表示可能な３桁表示のＬＣＤで、その内、左負荷用ＬＣＤ７と右負荷用ＬＣＤ９はカウントアップ時間、調理温度を表示するようになっており、中央負荷用ＬＣＤ８は時限タイマによる調理残り時間等を表示するようになっている。
【００３１】
前記のカウントアップタイマーキー２ｄ，３ｄがオンされたときは、中央制御部４は、カウントアップタイマー６ａ，６ｂを起動して、例えば１秒毎のカウントアップを左負荷用ＬＣＤ７と右負荷用ＬＣＤ９にそれぞれ表示する。そして、例えば図５に示すように、１分毎にパルス幅ＢＺ１の信号を報知制御部５を通じてブザー１３に出力し、パルスに基づく音を出させる。その後は、例えば５分以降１時間のカウントアップ終了まで５分毎にパルス幅ＢＺ２の信号を前記と同様にブザー１３に出力して音を出させる。この場合は２回である。
【００３２】
また、中央制御部４は、再びカウントアップタイマーキー２ｄ，３ｄのオンを検知したときは、カウントアップタイマー６ａ，６ｂの動作を一時的に停止して、停止時の経過時間の表示を維持する。この状態で、さらにカウントアップタイマーキー２ｄ，３ｄのオンを検知したときは、図５に示すパルス幅ＢＺ０５の信号を報知制御部５を通じてブザー１３に出力し、タイマー解除音を出させる。この時、左負荷用ＬＣＤ７や右負荷用ＬＣＤ９上に表示したカウントアップ時間を解除する。なお、他のキーが操作されたときも前述したパルス幅ＢＺ１の信号を出力するようになっている。
【００３３】
前記の左報知部１０、中央報知部１１及び右報知部１２は前述したように複数のＬＥＤからなり、例えば図６に示すように、左報知部１０及び右報知部１２は、一列目に８個の赤いＬＥＤ１０ａ，１２ａが、二列目に８個の緑のＬＥＤ１０ｂ，１２ｂがそれぞれセットで配列されてなり、共に８段階表示となっている。中央報知部１１は、一列目に４個の赤いＬＥＤ１１ａが、二列目に４個の緑のＬＥＤ１１ｂがセットで配列されてなり、４段階表示となっている。電源スイッチ４０のオン時には、例えば緑のＬＥＤ１０ｂ，ＬＥＤ１１ｂ及びＬＥＤ１２ｂがそれぞれ点灯し、電磁誘導コイル２１，２２及び電熱ヒーター２８の火力が設定されたときはその火力に応じて赤のＬＥＤ１０ａ，ＬＥＤ１１ａ及びＬＥＤ１２ａが点灯する。この時、点灯している緑のＬＥＤ１０ｂ，ＬＥＤ１１ｂ及びＬＥＤ１２ｂは通電に応じて消灯するようになっている。なお、ここでは、赤と緑のＬＥＤを用いて説明したが、２色発光可能なＬＥＤでもよい。
【００３４】
これら左報知部１０、中央報知部１１及び右報知部１２は、エンコーダー４１，４２，４３又はワンタッチ火力キー２ａ，２ｂ，２ｃ，３ａ，３ｂ，３ｃの操作に基づく火力と通電に応じて点灯及び消灯表示し、中央制御部４の報知制御部５の制御によるものである。
【００３５】
なお、同図６に示す左負荷用ＬＣＤ７の表示例は、誘導加熱コイル２１が動作中であることを示し、中央負荷用ＬＣＤ８は、時限タイマー１４による調理残時間を示し、また、右負荷用ＬＣＤ９は、天ぷら調理キー３ｅの設定による被加熱物の調理温度を示している。
【００３６】
次に、前記のように構成された加熱調理器の動作を説明する。この加熱調理器の動作は従来のものと同様なので、ここでは省略する。図７は実施の形態１に係る加熱調理器のカウントアップタイマーによる動作を示すフローチャートである。
【００３７】
電源スイッチ４０のオンにより加熱調理器本体３０に電源が印加されると、中央制御部４は、誘導加熱コイル２１，２２及び電熱ヒーター２８，２９が動作中であるか否かに関係なしにカウントアップタイマーキー２ｄ，３ｄがオンされたかどうかを判定する（Ｓ１１）。例えば、トップ左操作部２側のカウントアップタイマーキー２ｄのオンを検知したときは、その旨をユーザーに知らせるために報知制御部５を通じて０．１秒間ブザー１３を鳴らし，かつ、カウントアップタイマー６ａを起動し、時間の測定を開始する（Ｓ１２）。この時間が１秒経過する毎にカウントアップし、その状態を左負荷用ＬＣＤ７に表示する（Ｓ１３）。この時、カウントアップ時間が５分経過するまで１分毎にブザー１３を０．１秒間鳴らし、５分以降１時間までは５分毎にブザー１３を０．１秒間２回鳴動させる。そして、カウントアップ時間が１時間に達したかどうかを判定し（Ｓ１４）、１時間経過したときはＳ１５に進むが、１時間経過していないときは、カウントアップタイマーキー２ｄが再びオン（カウントアップタイマー６ａ起動後１回目）されたかどうかを判定する（Ｓ１６）。カウントアップタイマー６ａの起動後に１回目のオンを検知したときはＳ１７に進むが、そのオンを検知していないときは、カウントアップタイマーキー２ｄがさらにオン（カウントアップタイマー６ａの起動後２回目）されたかどうかを判定する（Ｓ１８）。ここで、２回目のオンを検知していないときはＳ１１に戻って前述した一連の動作を繰り返す。なお、カウントアップタイマーキー２ｄのオンを検知したときは前記と同様にブザー１３を鳴らすようになっている。
【００３８】
中央制御部４は、この動作を繰り返しているときに、Ｓ１４において、１時間の経過を検知したときは、左負荷用ＬＣＤ７に１時間を表示し、カウントアップタイマーキー２ｄのオンを検知したときは（Ｓ１８）、その１時間を解除すると共に、ブザー１３を０．５秒間鳴らして、その旨をユーザ−に知らせる。また、Ｓ１６において、カウントアップタイマーキー２ｄの１回目のオンを検知したときは、カウントアップタイマー６ａの動作を一時的に停止すると共に、左負荷用ＬＣＤ７に表示している経過時間をそのままの状態で維持し（Ｓ１７），Ｓ１１に戻る。さらに、Ｓ１８において、カウントアップタイマーキー２ｄの２回目のオンを検知したときは、カウントアップタイマー６ａの動作を停止してカウントアップ時間をクリアにすると共に，左負荷用ＬＣＤ７に表示した経過時間を解除し（Ｓ１９）、この動作を終了する。
【００３９】
以上のように実施の形態１においては、誘導加熱コイル２１，２２の動作に関係なくカウントアップタイマー６ａ，６ｂを起動できるようにしたので、誘導加熱コイル２１，２２による調理開始時にそのカウントアップタイマー６ａ，６ｂを起動してもタイムアップで加熱制御を停止させることなく、調理の経過時間の目安としての利用可能となり、また、調理時の火力調整のタイミングの目安として使用でき，料理の出来具合を確認するタイミングを知ることが可能となり、使い勝手のよい加熱調理器を提供できる。
【００４０】
また、カウントアップタイマー６ａ，６ｂが計時した経過時間に応じて、その旨を音で報知するようにしたので、加熱調理器の前で時間の経過を凝視する必要もなく、他の調理の下ごしらえ等の準備を行いながらも、現在調理中の経過時間を音で知ることができる。このため、加熱調理のかけっぱなしによる焦げ付きや、調理の過加熱等を防ぐことができ、調理以外の目的でカウントアップタイマー６ａ，６ｂを使用している場合でも、調理器の傍から離れたところでカウントアップタイマー６ａ，６ｂの経過時間を把握することができる。
【００４１】
なお、実施の形態１では、時間の経過具合により、報知するブザー音を変えているが、このブザー音に限らず、音声による報知を行なっても同様の効果が得られることは言うまでもない。
【００４２】
実施の形態２．
本実施の形態は、誘導加熱コイルにカウントアップタイマーの外に加熱時間設定用として時限タイマーを備えたものである。
図８は本発明の実施の形態２に係る加熱調理器の概略構成を示すブロック図、図９は加熱調理器の正面に設けられた正面操作部の平面図である。なお、実施の形態１で説明した符号と同一又は相当部分には同じ符号を付し説明を省略する。
【００４３】
本実施の形態２の加熱調理器は、中央制御部４に誘導過熱コイル２１，２２の加熱時間設定用の時限タイマー１４ａ，１４ｂを追加したものである（図８参照）。この時限タイマー１４ａ，１４ｂの操作は、図９に示すように電熱ヒーター２８用のタイマーキー４７（中央タイマーキー）の両側にそれぞれ配置された左タイマーキー４７ａと右タイマーキー４７ｂである。
【００４４】
次に、実施の形態２の加熱調理器の動作を図１０に示すフローチャートを参照しながら説明する。図１０は実施の形態２に係る加熱調理器のタイマーによる動作を示すフローチャートである。なお、ここでは、誘導加熱コイル２２に限って説明するが、平行してもう一方の誘導加熱コイル２１についても同様にタイマー動作が可能である。
【００４５】
前記と同様に電源スイッチ４０のオンにより加熱調理器本体３０に電源が印加されると、中央制御部４は、誘導加熱コイル２１，２２及び電熱ヒーター２８，２９が動作中であるか否かに関係なしにカウントアップタイマーキー２ｄ，３ｄがオンされたかどうかを判定する（Ｓ２０）。例えばトップ右操作部３側のカウントアップタイマーキー３ｄのオンを検知したときはＳ２１に進んで図６に示すフローチャートに基づいて動作する。また、カウントアップタイマーキー２ｄ，３ｄのオンを検知しなかったときは、時限タイマー４７，４７ａ，４７ｂが選択されたかどうかを判定する（Ｓ２２）。
【００４６】
ここで、右タイマーキー４７ｂが選択され、時間設定キー４６によって加熱時間が設定されると（Ｓ２３）、中央制御部４は、トップ右操作部３の例えばワンタッチ火力キー４７ａ又は正面操作部１のエンコーダー４２の操作に基づく火力が得られるよう駆動・制御回路部１６を通じて誘導加熱コイル２２を制御すると共に、右タイマーキー４７ｂに応じて時限タイマー１４ｂを起動してカウントダウンを開始し、かつ、時間設定キー４６に基づく加熱時間を右負荷用ＬＣＤ９に表示する（Ｓ２４）。
【００４７】
そして、時限タイマー１４ｂによるカウントダウンがゼロになったかどうかを判定する（Ｓ２５）。ゼロになったときはＳ２６に進むが、ゼロになっていないときは時限タイマー１４ｂによるカウントダウンの時間を右負荷用ＬＣＤ９に表示し（Ｓ２７）、右タイマーキー４７ｂの再びオンによる解除操作がなされたかどうかを判定する（Ｓ２８）。解除されたときはＳ２９に進むが、解除操作なされていないときはＳ２０に戻って、前述した一連の動作を繰り返す。この動作を繰り返しているときに、Ｓ２５においてカウントダウンがゼロになったことを検知したときは、誘導加熱コイル２２の加熱制御を停止し、時限タイマー１４ｂの動作を停止し、かつ、右負荷用ＬＣＤ９のゼロ表示を維持する（Ｓ２６）。また、Ｓ２８において、時限タイマー１４ｂの解除操作がなされたときは、時限タイマー１４ｂのカウントダウンを停止させ、加熱制御も停止させる（Ｓ２９）。ここでは、時限タイマー１４ｂと加熱制御を同時に停止させているが、時限タイマー１４ｂのみ停止させ、加熱制御だけ継続して行うようにしてもよい。なお、各キーがオンされる毎に通報制御部５通じて０．１秒間ブザー１３を鳴らし、解除操作を検知したときはブザー１３を０．５秒間鳴らすようになっている。
【００４８】
以上のように実施の形態２においては、誘導加熱コイル２１，２２及び電熱ヒーター２８，２９の動作に影響を与える範囲外でカウントアップタイマー６ａ，６ｂを動作させることを可能にし、さらに、カウントアップタイマー６ａ，６ｂを動作させないときは時限タイマー１４，１４ａ，１４ｂを設定できるようにしたので、例えば麺をゆでる場合などでは、目安の時間をカウントアップタイマーで計るようにすることで、茹で加減が足りないような状況で加熱手段が停止することなく、調理を丁度良い時間まで継続することができ、煮物や炊飯等、比較的長い時間で調理するようなものに関しては時限タイマーを利用し、簡単かつ正確に加熱制御を行なうことができる、使い勝手の良い加熱調理器を実現できる。
【００４９】
実施の形態３．
図１１は実施の形態３に係る加熱調理器の左負荷用ＬＣＤ、中央負荷用ＬＣＤ及び右負荷用ＬＣＤの表示に関する図である。左負荷用ＬＣＤ７では時限タイマーが終了し、時限タイマー解除前の表示を示している。中央負荷用ＬＣＤ８では時限タイマーの残り時間が５分００秒で動作中であることを示している。右負荷用ＬＣＤ９ではカウントアップタイマー６ｂが設定されて、１秒カウントアップしたときの表示である。この場合、誘導加熱コイル２２が動作していなくとも、カウントアップタイマー６ｂは計時を行なう。
【００５０】
実施の形態３においては、カウントダウンする負荷動作を停止させる時限タイマー計時機能とは別に、カウントアップする計時機能の表示を、各負荷毎に近接あるいは対称位置に設けたことで、調理中の状態をより分かり易く確実にユーザーに知らせることを可能にした加熱調理器を実現できる。
【００５１】
なお、実施の形態３では、カウントアップタイマー６ａ，６ｂのカウントアップ時間及び時限タイマー１４，１４ａ，１４ｂのカウントダウン時間のどちらかをＬＣＤに表示させるようにしたが、各タイマー６ａ，６ｂ，１４，１４ａ，１４ｂ毎にＬＣＤを設けて、それぞれ表示できるようにしてもよい。また、例えば時限タイマー１４ａ，１４ｂによるカウントダウン時間を上段に、カウントアップタイマー６ａ，６ｂによるカウントアップ時間を同じ表示手段の下段にそれぞれ表示するように構成しても良い。さらに、カウントアップタイマー６ａ，６ｂは、負荷動作とは無関係に計時し、負荷のオン−オフ動作を行なっていないが、同様な構成として、時限タイマーの計時をカウントダウンではなく、カウントアップする構成にしても同様な効果が得られる。
【００５２】
また、加熱制御中において、加熱調理器に搭載されるたウントアップタイマー６ａ，６ｂではタイムアップと同時に加熱制御が停止しないため、消し忘れ等が懸念されるが、その防止策として従来から別個に搭載されている消し忘れタイマー（誘導加熱手段：４５分、グリル：２０分）による各種安全機能が働くため、過加熱は防止され、従って、ユーザーは安全に加熱調理器を使用することができる。
【００５３】
【発明の効果】
本発明の請求項１に係る加熱調理器によれば、計時開始手段の操作により計時手段が時間の測定を開始したとき、第１の制御手段による加熱手段の制御とは独立して計時手段の測定時間を表示手段に表示するようにしているので、調理時の補助機能として使いやすい加熱調理器を実現できる。
【００５４】
本発明の請求項２に係る加熱調理器によれば、計時開始手段の操作により計時手段が測定を開始したとき、その計時手段を時間設定手段の時間設定により動作する時限タイマーとは別に排他動作させるようにしているので、目的に応じて使用するタイマーを選択することが出来、様々な調理メニューに対応可能とした加熱調理器を実現できる。
【００５５】
本発明の請求項３に係る加熱調理器によれば、計時手段により測定された時間が所定時間経過する毎にその旨を報知するようにしているので、調理中の状態をより分かり易く、確実にユーザーに知らせることが可能になる。
【００５６】
本発明の請求項４に係る加熱調理器によれば、複数の加熱手段に近接又は対称位置に設けられた表示手段を備え、各加熱手段に対応したタイマー表示機能を設けたので、調理対象物である被加熱物の近傍でタイマーを確認することができて見やすくなり、調理の状態を確実に把握できる加熱調理器を実現できる。
【００５７】
本発明の請求項５に係る加熱調理器によれば、計時手段のカウントアップ時間及び時限タイマ−のカウントダウン時間を２段に亘って表示する表示手段を設けたので、部品点数を増やすことなく調理の状態を確実に把握できる。
【００５８】
本発明の請求項６に係る加熱調理器によれば、表示手段をトッププレートに形成された透明窓の下側に配置したので、その透明窓を介してタイマーを見ることができる加熱調理器を実現できる。
【図面の簡単な説明】
【図１】本発明の実施の形態１に係る加熱調理器の概略構成を示すブロック図である。
【図２】実施の形態１に係る加熱調理器の外観を示す斜視図である。
【図３】加熱調理器の正面操作部の詳細を示す正面図である。
【図４】加熱調理器のトッププレートの詳細を示す平面図である。
【図５】カウントアップタイマーの動作中における報知音の説明図である。
【図６】実施の形態１に係る加熱調理器の表示例の説明図である。
【図７】実施の形態１に係る加熱調理器のカウントアップタイマーによる動作を示すフローチャートである。
【図８】本発明の実施の形態２に係る加熱調理器の概略構成を示すブロック図である。
【図９】加熱調理器の正面に設けられた正面操作部の平面図である。
【図１０】実施の形態２に係る加熱調理器のタイマーによる動作を示すフローチャートである。
【図１１】実施の形態３に係る加熱調理器の左負荷用ＬＣＤ、中央負荷ＬＣＤ及び右負荷ＬＣＤの表示に関する図である。
【図１２】従来の加熱調理器の斜視図である。
【図１３】従来の他の加熱調理器の内部構成を示した分解斜視図である。
【符号の説明】
１　正面操作部、２　トップ左操作部、３　トップ右操作部、４　中央制御部、５　報知制御部、６ａ，６ｂ　カウントアップタイマー、７　左負荷用ＬＣＤ、８　中央負荷用ＬＣＤ、９　右負荷用ＬＣＤ、１０　左報知部、１１　中央報知部、１２　右報知部、１３　ブザー、１４　時限タイマー、１５，２４　駆動制御回路部、２１，２２　誘導加熱コイル、２８，２９　電熱ヒーター。
【図１】
2004055167.tif 000003
【図２】
2004055167.tif 000004
【図３】
2004055167.tif 000005
【図４】
2004055167.tif 000006
【図５】
2004055167.tif 000007
【図６】
2004055167.tif 000008
【図７】
2004055167.tif 000009
【図８】
2004055167.tif 000010
【図９】
2004055167.tif 000011
【図１０】
2004055167.tif 000012
【図１１】
2004055167.tif 000013
【図１２】
2004055167.tif 000014
【図１３】
2004055167.tif 000015